(57)【要約】【課題】ユーザに対して記録媒体に記録する画像の画質を適正な状態で確認させることができる画像記録装置を提供する。  【解決手段】、エンコード部３はそのときのＳＴＣのカウント値に基づいて算出したＳＣＲをエンコードした画像データに付加する。記憶部７は、そのときのＳＴＣのカウント値を入力画像の入力画像データに対応づけて記憶する。デコード部５はエンコードされた画像データをデコードした再生画像データを確認画像出力部９に入力する。入力画像取出部８は、エンコードされた画像データに付加されているＳＣＲ算出に用いたＳＴＣの値を求め、ここで求めた値が付加されている入力画像を記憶部７から取り出す。確認画像出力部９は、デコード部５でデコードされた再生画像データに基づく再生画像、および記憶部７から取り出された入力画像の２つの画像を併せた確認画像を生成し、出力する。【選択図】  図１
2006100903.tif 000002
【特許請求の範囲】
【請求項１】
入力画像の画像データをエンコードするエンコード手段と、
前記エンコード手段がエンコードした前記入力画像の画像データを記録媒体に記録する記録手段と、
前記記録媒体に記録されている画像データを読み取る読取手段と、
前記読取手段が読み取った画像データをデコードするデコード手段と、
前記デコード手段がデコードした画像データに基づく画像の再生信号を生成し、出力する再生信号出力手段と、備え、
前記エンコード手段は、本体の基本クロックをカウントしているカウンタのカウント値に基づいて生成した再生時に用いる時間情報をエンコードした前記画像データに付加し、
前記再生信号出力手段は、デコード手段によりデコードされた画像データに付加されている前記時間情報に基づいて再生信号を出力する画像記録装置において、
前記入力画像に前記カウンタのカウント値を対応付けて記憶する記憶手段と、
前記エンコード手段によりエンコードされた入力画像の画像データを、前記デコード手段によりデコードし、前記記憶手段に記憶している入力画像からこのデコードした画像データにかかる入力画像を取り出す入力画像取出手段と、
前記入力画像取出手段が取り出した入力画像および前記デコード手段がデコードした画像データに基づく画像の２つの画像を併せた確認画像を生成し、出力する確認画像出力手段と、
前記エンコード手段における画像データのエンコード率を設定するエンコード設定手段と、
特定の入力を受け付けた時、前記エンコード手段に対して指示する画像データのエンコード率を一定時間間隔で段階的に切り替える切替手段と、を備え
前記入力画像取出手段は、前記デコード手段によりデコードされた画像データに付加されている前記時間情報と、前記記憶手段に記憶されている入力画像に対応付けられている前記カウンタのカウント値とに基づいて、前記記憶手段に記憶している入力画像から前記デコード手段によりデコードした画像データにかかる入力画像を取り出し、
前記確認画像は、前記入力画像および前記デコード手段がデコードした画像データに基づく画像の２つの画像の一方の画像の一部に他方の画像を組み込んだ画像であり、
さらに、前記入力画像および前記デコード手段がデコードした画像データに基づく画像の２つの画像の中から前記確認画像における一方の画像を選択する選択手段を備えた画像記録装置。
【請求項２】
入力画像の画像データをエンコードするエンコード手段と、
前記エンコード手段がエンコードした前記入力画像の画像データを記録媒体に記録する記録手段と、
前記記録媒体に記録されている画像データを読み取る読取手段と、
前記読取手段が読み取った画像データをデコードするデコード手段と、
前記デコード手段がデコードした画像データに基づく画像の再生信号を生成し、出力する再生信号出力手段と、備え、
前記エンコード手段は、本体の基本クロックをカウントしているカウンタのカウント値に基づいて生成した再生時に用いる時間情報をエンコードした前記画像データに付加し、
前記再生信号出力手段は、デコード手段によりデコードされた画像データに付加されている前記時間情報に基づいて再生信号を出力する画像記録装置において、
前記入力画像に前記カウンタのカウント値を対応付けて記憶する記憶手段と、
前記エンコード手段によりエンコードされた入力画像の画像データを、前記デコード手段によりデコードし、前記記憶手段に記憶している入力画像からこのデコードした画像データにかかる入力画像を取り出す入力画像取出手段と、
前記入力画像取出手段が取り出した入力画像および前記デコード手段がデコードした画像データに基づく画像の２つの画像を併せた確認画像を生成し、出力する確認画像出力手段と、を備え、
前記入力画像取出手段は、前記デコード手段によりデコードされた画像データに付加されている前記時間情報と、前記記憶手段に記憶されている入力画像に対応付けられている前記カウンタのカウント値とに基づいて、前記記憶手段に記憶している入力画像から前記デコード手段によりデコードした画像データにかかる入力画像を取り出す画像記録装置。
【請求項３】
前記エンコード手段における画像データのエンコード率を設定するエンコード設定手段を備えた請求項２に記載の画像記録装置。
【請求項４】
特定の入力を受け付けた時、前記エンコード手段に対して指示する画像データのエンコード率を一定時間間隔で段階的に切り替える切替手段を備えた請求項２または３に記載の画像記録装置。
【請求項５】
前記確認画像は、前記入力画像および前記デコード手段がデコードした画像データに基づく画像の２つの画像の一方の画像の一部に他方の画像を組み込んだ画像であり、
前記入力画像および前記デコード手段がデコードした画像データに基づく画像の２つの画像の中から前記確認画像における一方の画像を選択する選択手段を備えた請求項２〜４に記載の画像記録装置。
【発明の詳細な説明】
【技術分野】
【０００１】
この発明は、画像をＣＤ，ＤＶＤ、ハードディスク、ビデオテープ等の記録媒体に記録する画像記録装置に関する。
【背景技術】
【０００２】
従来、画像をＣＤ，ＤＶＤ、ハードディスク、ビデオテープ等の記録媒体に記録する画像記録装置が普及している。このような画像記録装置は画像データをエンコードして記録媒体に記録する。エンコードすることによって記録媒体に記録できる画像を増大させている。一方、エンコードして記録することから入力された画像（以下入力画像という。）と記録媒体に記録した入力画像の再生画像との画質に差異が生じる。一般にエンコード率を大きくすることで記録媒体に記録できる画像量は大きくなる（画像データが小さくなる。）が、再生画像の画質が低下する。最近では、ユーザがエンコード率を設定できる構成の画像記録装置が実用化されている。この種の画像記録装置は、エンコード率をユーザに設定させることから、入力画像と設定されているエンコード率で記録した場合の再生画像とをＰｉｃｔｕｒｅ  ｉｎ  Ｐｉｃｔｕｒｅ（所謂、ＰｉｎＰ）等で一画面に表示し、再生画像の画質をユーザに確認させる構成を採用している。この構成を採用した画像記録装置としては例えば特許文献１に示されているものがある。
【特許文献１】特開平６−２８４３７３号公報
【発明の開示】
【発明が解決しようとする課題】
【０００３】
しかしながら、入力画像と再生画像とをＰｉｎＰ等で一画面に表示する場合、再生画像は入力画像を一旦エンコードし、これをデコードした画像であることから、このエンコード、及びデコードにかかる処理に要する時間だけ、入力画像に比べて出力できる遅れる。したがって、入力画像と、この入力画像を記録媒体に記録したときの再生画像とを一画面に表示するには、入力画像の出力を適正な時間（エンコード、デコードを行って出力できるまでに要する時間）だけ遅らせる必要がある。また、エンコード、デコードを行って出力できるまでに要する時間は、エンコード率により変化することから一意に定まらない。
【０００４】
従来の画像記録装置は、入力画像の出力をエンコード、デコードを行って出力できるまでに要する時間だけ遅らせる構成を備えておらず、入力画像を単に一定時間だけ遅らせる構成であったことから、ＰｉｎＰ等で一画面に表示した入力画像と、再生画像との間にズレが生じ、再生画像と、ＰｉｎＰで表示している入力画像とが異なる画像であった。このため、ユーザに対して記録媒体に記録する画像の画質を適正な状態で確認させることができないという問題があった。
【０００５】
この発明の目的は、ユーザに対して記録媒体に記録する画像の画質を適正な状態で確認させることができる画像記録装置を提供することにある。
【課題を解決するための手段】
【０００６】
この発明の画像記録装置は、上記課題を解決するために以下の構成を備えている。
（１）  入力画像の画像データをエンコードするエンコード手段と、
前記エンコード手段がエンコードした前記入力画像の画像データを記録媒体に記録する記録手段と、
前記記録媒体に記録されている画像データを読み取る読取手段と、
前記読取手段が読み取った画像データをデコードするデコード手段と、
前記デコード手段がデコードした画像データに基づく画像の再生信号を生成し、出力する再生信号出力手段と、備え、
前記エンコード手段は、本体の基本クロックをカウントしているカウンタのカウント値に基づいて生成した再生時に用いる時間情報をエンコードした前記画像データに付加し、
前記再生信号出力手段は、デコード手段によりデコードされた画像データに付加されている前記時間情報に基づいて再生信号を出力する画像記録装置において、
前記入力画像に前記カウンタのカウント値を対応付けて記憶する記憶手段と、
前記エンコード手段によりエンコードされた入力画像の画像データを、前記デコード手段によりデコードし、前記記憶手段に記憶している入力画像からこのデコードした画像データにかかる入力画像を取り出す入力画像取出手段と、
前記入力画像取出手段が取り出した入力画像および前記デコード手段がデコードした画像データに基づく画像の２つの画像を併せた確認画像を生成し、出力する確認画像出力手段と、を備え、
前記入力画像取出手段は、前記デコード手段によりデコードされた画像データに付加されている前記時間情報と、前記記憶手段に記憶されている入力画像に対応付けられている前記カウンタのカウント値とに基づいて、前記記憶手段に記憶している入力画像から前記デコード手段によりデコードした画像データにかかる入力画像を取り出す。
【０００７】
この構成では、エンコード手段が入力画像の画像データをエンコードし、記録手段がエンコードされた画像データを記録媒体に記録する。記録媒体に記録される画像データには、再生時に用いる時間情報、例えばＤＶＤ規格で言うＳＣＲ、が付加される。エンコード手段が、本体の基本クロックをカウントしているカウンタのカウント値に基づいて時間情報を生成する。また、読取手段が光ディスク等の記録媒体に記録されている画像データを読み取り、デコード手段がこの画像データをデコードする。再生信号出力手段がデコードされた画像データに基づく画像（以下、再生画像と言う。）の再生信号を生成し出力する。このとき、再生信号出力手段は、デコードされた画像データに付加されている時間情報に基づいて再生信号を出力する。
【０００８】
また、記憶手段には、入力画像が基本クロックのカウンタのカウント値を対応づけて、入力画像が記憶される。入力画像取出手段がエンコード手段によりエンコードされ、その後デコード手段によりデコードされた入力画像の画像データに付加されている時間情報と、記憶手段が記憶する入力画像に付加されている基本クロックをカウントしているカウンタのカウント値とに基づいて、エンコード手段でエンコードした画像データにかかる入力画像を記憶手段から取り出す。確認画像出力手段が、記憶手段から取り出した入力画像と、デコード手段によりデコードされた再生画像とを併せた確認画像を生成し、出力する。
【０００９】
エンコード手段は、上述したように、基本クロックのカウント値に基づいて生成した時間情報をエンコードした画像データに付加しているので、デコード手段によりデコードされた再生画像と、入力画像取出手段により記憶手段から取り出される入力画像と、を同期させることができる。したがって、入力画像と、この入力画像をエンコードおよびデコードした再生画像を併せた確認画像を１画面に表示することができ、ユーザに対して記録媒体に記録する画像の画質を適正な状態で確認させられる。
（２）前記エンコード手段における画像データのエンコード率を設定するエンコード設定手段を備える。
【００１０】
この構成では、ユーザが自分の好みに応じて画像データのエンコード率を設定することができる。
（３）特定の入力を受け付けた時、前記エンコード手段に対して指示する画像データのエンコード率を一定時間間隔で段階的に切り替える切替手段を備える。
【００１１】
この構成では、切替手段が特定の入力を受け付けた時、画像データのエンコード率を一定時間間隔で段階的に切り替えるので、ユーザに対して記録媒体に記録する画像の画質を一層簡単に確認させて、記録媒体に記録する画像のエンコード率を簡単に選択させることができる。
（４）前記確認画像は前記入力画像および前記デコード手段がデコードした画像データに基づく画像の２つの画像の一方の画像の一部に他方の画像を組み込んだ画像であり、
前記入力画像および前記デコード手段がデコードした画像データに基づく画像の２つの画像の中から前記確認画像における一方の画像を選択する選択手段を備える。
【００１２】
この構成では、前記確認画像は前記入力画像および前記再生画像の２つの画像の一方の画像の一部に他方の画像を組み込んだ画像、いわゆるＰｉｃｔｕｒｅ  ｉｎ  Ｐｉｃｔｕｒｅ（ＰｉｎＰ）である。選択手段により、前記入力画像および前記再生画像の２つの画像の中から前記確認画像における一方の画像を選択できる。即ちユーザは前記再生画像を親画像にするか子画像にするかどうかを選択することができる。これにより、ユーザは前記入力画像および前記再生画像の一方を選択的にＰｉｎＰにおける親画像にすることができる。
【発明の効果】
【００１３】
この発明によれば、ユーザに対して記録媒体に記録する画像の画質を適正な状態で確認させることができる。
【発明を実施するための最良の形態】
【００１４】
図１は、本発明の実施形態であるＤＶＤレコーダの構成を示すブロック図である。本発明の実施形態であるＤＶＤレコーダ１は、本体の動作を制御する制御部２と、入力画像の画像データをエンコードするエンコード部３と、エンコードした入力画像の画像データをＤＶＤに記録およびＤＶＤに記録されている画像データを読み取る記録／読取部４と、記録／読取部４が読み取った画像データをデコードするデコード部５と、デコード部５でデコードされた画像データ（再生画像データ）に基づく画像（以下、再生画像と言う。）の再生信号を生成し、出力する再生信号出力部６と、入力画像の画像データ（入力画像データ）を一時的に記憶する記憶部７と、記憶部７に記憶している入力画像データからデコード部５においてデコードした再生画像データにかかる入力画像を取り出す入力画像取出部８と、入力画像取出部８が取り出した入力画像データに基づく画像（入力画像）および前記再生画像データに基づく画像（再生画像）の２つを併せた確認画像を生成し、出力する確認画像出力部９と、本体に対して入力操作を行う操作部１０とを備えている。
【００１５】
制御部２は、装置本体における動作タイミングを示す基本クロックを発生するクロックジェネレータや、この基本クロックをカウントするカウンタ等を有している。ここでは、このカウンタのカウント値をＳＴＣと言う。エンコード部３は、入力された入力画像にかかる画像データをＭＰＥＧ形式等でエンコードする。エンコード部３は、制御部２から指示されたエンコード率でエンコードする。また、エンコード部３は、ＳＴＣに基づいて再生時に映像と音声の出力タイミングを併せるのに用いる時間情報を生成し、エンコードした画像データに付加する。ここでは、エンコードした画像データに付加する時間情報をＳＣＲと言う。記録／読取部４は周知のピックアップヘッドを有する。ピックアップヘッドには、光源であるＬＤから照射されたレーザ光を集光する対物レンズ、ＤＶＤからの反射光を検出する受光素子などが設けられている。
【００１６】
デコード部５は、ＭＰＥＧ形式等でエンコードされている画像データをデコードする。再生信号出力部６は、デコードされた再生画像データに付加されているＳＣＲに基づく順番に再生画像データの再生信号を生成し出力する。記憶部７は、入力画像にＳＴＣを対応付けて記憶する。入力画像取出部８は、デコードされた再生画像データに付加されているＳＣＲと、記憶部７が記憶する入力画像データに付加されているＳＴＣとに基づいて、記憶部７が記憶する入力画像データの中からデコード部５によりデコードされた入力画像データにかかる入力画像データを取り出す。確認画像出力部９は、デコードされた再生画像データに基づく再生画像と、記憶部７から取り出された入力画像データに基づく入力画像との２つの画像を併せた確認画像を生成し出力する。具体的には、図２に示すＰｉｃｔｕｒｅ  ｉｎ  Ｐｉｃｔｕｒｅ（ＰｉｎＰ）による確認画像を生成し出力する。ＰｉｎＰは、周知のように子画像９ｂを親画像９ａに組み込んだ画像である。確認画像は、必ずしもＰｉｎＰである必要はなく、画面を縦や横に２つに分割し、一方の領域に入力画像を表示し、他方の領域に再生画像を表示する画像であってもよい。操作部１０には、エンコード部３における画像データのエンコード率や、再生画像または入力画像のどちらを親画像にするか等にかかる入力を行うときに操作するキーが配置されている。
【００１７】
次に、本発明の実施形態であるＤＶＤレコーダ１の動作について説明する。この装置は、ＤＶＤに記録する画像の画質をユーザに確認させる確認画像を出力する機能を有している。なお、ここでは、ＤＶＤレコーダ１におけるＤＶＤへの画像の記録、およびＤＶＤに記録されている画像の再生にかかる処理については公知であるので、ここでは説明を省略する。
【００１８】
以下、この実施形態のＤＶＤレコード１における確認画像を出力する処理について説明する。この処理では、入力画像はエンコード部３、および記憶部７に入力される。エンコード部３では、ユーザにより設定されているエンコード率で入力された画像をエンコードする。このとき、エンコード部３はそのときのＳＴＣのカウント値に基づいてＳＣＲを算出し、このＳＣＲをエンコードした画像データに付加する。一方、記憶部７においては、そのときのＳＴＣのカウント値を入力画像の入力画像データに付加する。
【００１９】
ＤＶＤレコーダ１は、エンコード部３でエンコードした画像データを記録／読取部４によりＤＶＤに記録するのではなく、このエンコードした画像データを直接デコード部５に入力する。デコード部５は入力されたエンコードされた画像データをデコードした再生画像データを確認画像出力部９に入力する。また、デコード部５は、デコードした画像データに付加されているＳＣＲを制御部２に通知する。
【００２０】
制御部２は、デコード部５から通知されたＳＣＲに基づいて、このＳＣＲを入力画像取出部８に通知する。入力画像取出部８は、通知されたＳＣＲについて、このＳＣＲの算出に用いたＳＴＣの値を求め、ここで求めた値が付加されている入力画像を記憶部７から取り出す。入力画像取出部８は、記憶部７から取り出した入力画像を確認画像出力部９に入力する。
【００２１】
確認画像出力部９は、デコード部５から入力された再生画像データに基づく再生画像、および入力画像取出部８から入力された入力画像の２つの画像について、一方の画像に他方の画像を組み込んだＰｉｎＰによる確認画像を生成し、出力する。確認画像出力部９は、操作部１０における入力操作によって設定されている画像（再生画像、または入力画像）を親画像とし、他方を子画像とした確認画像を生成する。この確認画像は、図示していないテレビ受像機等に入力され、表示される。
【００２２】
このように、ＤＶＤに記録する画像の画質を確認させる確認画像を出力するとき、記憶部７に記憶した入力画像を、この入力画像をエンコード、デコードする時間だけ遅らせて出力することができるので、確認画像における入力画像と、再生画像とを正確に同期させることができる。したがって、、ユーザに対して記録媒体に記録する画像の画質を適正な状態で確認させることができる。
【００２３】
上記の実施形態では、ユーザが操作部１０において設定したエンコード率で、エンコード部が入力画像をエンコードするとしたが、予めエンコード率を複数設定しておき、一定時間毎に段階的にエンコード率を変化させるようにしてもよい。このようにすれば、ユーザは複数のエンコード率について、再生画像の画質を簡単に確認することができる。この場合には、ＯＳＤで確認画像における再生画像のエンコード率を表示することにより、そのときのエンコード率をユーザに認識させるようにすればよい。
【図面の簡単な説明】
【００２４】
【図１】本発明の実施形態であるＤＶＤレコーダの構成を示すブロック図である。
【図２】本発明の実施形態であるＤＶＤレコーダの表示画面の一例を説明するための図である。
【符号の説明】
【００２５】
１−ＤＶＤレコーダ
２−制御部
３−エンコード部
４−記録／読取部
５−デコード部
６−再生信号出力部
７−記憶部
８−入力画像取出部
９−確認画像出力部
９ａー親画面
９ｂ−子画面
１０−操作部
【図１】
2006100903.tif 000003
【図２】
2006100903.tif 000004